(57)【要約】      （修正有）【課題】押鍵開始時の鍵タッチ感を良好に保ち、かつストッパによって跳ね返されたハンマーが鍵にふたたび当たったときの鍵タッチ感を悪化させない鍵装置を提供する。【解決手段】鍵装置は、前後方向に長尺状に形成されて上下方向に回動可能に支持され、演奏者の押離鍵操作により上下方向に回動する白鍵１０と、押鍵操作による鍵の回動により駆動されて回動し、鍵の押鍵操作に対して反力を付与するハンマー２０と、前記回動したハンマー２０を衝突させてハンマー２０を跳ね返すハンマーストッパ３３（又は発音体）とを備えている。ハンマーストッパ３３（又は発音体）の跳ね返しによるハンマー２０の白鍵１０への衝突時の衝撃を和らげる第１緩衝部材２３を、ハンマー２０（又は白鍵１０）に設ける。【選択図】図３
2017072772.tif 000002
【特許請求の範囲】
【請求項１】
前後方向に長尺状に形成されて上下方向に回動可能に支持され、演奏者の押離鍵操作により上下方向に回動する鍵と、
押鍵操作による前記鍵の回動により駆動されて回動し、前記鍵の押鍵操作に対して反力を付与するハンマーと、
前記回動したハンマーを衝突させて前記ハンマーを跳ね返すストッパ又は発音体とを備えた鍵装置において、
前記押鍵操作によるハンマーの駆動時には前記鍵が前記ハンマーの所定の第１当接位置に当接し、かつ前記ストッパ又は発音体の跳ね返しによる前記ハンマーの回動時には前記第１当接位置とは位置を異ならせた前記ハンマーの第２当接位置が前記鍵に当接するようにし、
前記ハンマーの第２当接位置に、前記鍵が前記ストッパ又は発音体の跳ね返しによる前記ハンマーの回動を受け止めるときの衝撃を和らげる第１緩衝部材を設けたことを特徴とする鍵装置。
【請求項２】
前記請求項１に記載の鍵装置において、
前記押鍵操作によるハンマーの駆動時に前記ハンマーを駆動する鍵の駆動位置と同じ位置で、前記ストッパ又は発音体の跳ね返しによる前記ハンマーの回動を受け止めるようにし、
前記ハンマーの第１当接位置又は前記鍵の駆動位置に、前記第１緩衝部材よりも固い部材であって、前記押鍵操作によるハンマーの駆動時における衝撃を和らげる第２緩衝部材を設けたことを特徴とする鍵装置。
【請求項３】
前記請求項１に記載の鍵装置において、
前記押鍵操作によるハンマーの駆動時に前記ハンマーを駆動する鍵の駆動位置とは位置を異ならせた受け止め位置で、前記ストッパ又は発音体の跳ね返しによる前記ハンマーの回動を受け止めるようにし、
前記ハンマーの第１当接位置又は前記鍵の駆動位置に、前記第１緩衝部材よりも固い部材であって、前記押鍵操作によるハンマーの駆動時における衝撃を和らげる第２緩衝部材を設けたことを特徴とする鍵装置。
【請求項４】
前後方向に長尺状に形成されて上下方向に回動可能に支持され、演奏者の押離鍵操作により上下方向に回動する鍵と、
押鍵操作による前記鍵の回動により駆動されて回動し、前記鍵の押鍵操作に対して反力を付与するハンマーと、
前記回動したハンマーを衝突させて前記ハンマーを跳ね返すストッパ又は発音体とを備えた鍵装置において、
前記押鍵操作によるハンマーの駆動時には所定の駆動位置で前記ハンマーを駆動し、かつ前記ストッパ又は発音体の跳ね返しによる前記ハンマーの回動時には前記駆動位置とは位置を異ならせた前記鍵の受け止め位置で前記ハンマーを受け止めするようにし、
前記ハンマーの受け止め位置に、前記鍵が前記ストッパ又は発音体の跳ね返しによる前記ハンマーの回動を受け止めるときの衝撃を和らげる第１緩衝部材を設けたことを特徴とする鍵装置。
【請求項５】
前記請求項４に記載の鍵装置において、
前記押鍵操作によるハンマーの駆動時に前記鍵の駆動位置が当接する前記ハンマーの当接位置と同じ位置が、前記ストッパ又は発音体の跳ね返しによる前記ハンマーの回動時に前記鍵の受け止め位置に当接するようにし、
前記鍵の駆動位置又は前記ハンマーの当接位置に、前記第１緩衝部材よりも固い部材であって、前記押鍵操作によるハンマーの駆動時における衝撃を和らげる第２緩衝部材を設けたことを特徴とする鍵装置。
【請求項６】
前記請求項１乃至５のうちのいずか一つに記載の鍵装置において、
前記ハンマーに回動中心から上下方向に延びた延設部分を設けて、回動による前記ハンマーの水平方向の移動量を大きくするようにした鍵装置。
【発明の詳細な説明】
【技術分野】
【０００１】
本発明は、鍵の押鍵操作に対して反力を付与するハンマーを備えた鍵装置に関する。
【背景技術】
【０００２】
従来から、下記特許文献１，２に示されているように、押鍵操作による鍵の回動により駆動されて回動し、鍵の押鍵操作に対して反力を付与するハンマーを備えた鍵装置はよく知られている。また、下記特許文献２には、鍵の押鍵操作に対してレットオフ感を付与するために、鍵の回動に連動して回動するウィペンを介して、押鍵操作による鍵の回動によりハンマーを間接的に駆動することも示されている。
【０００３】
このような鍵装置においては、演奏者が鍵の前部を押すことにより押鍵操作を開始すると、鍵の前部は下方に移動して回動し始める。この鍵の回動によりハンマーが駆動されて、ハンマーも回動し始める。そして、鍵の押し切り時には、ハンマーは、ストッパに衝突して、ストッパにより跳ね返され、鍵にふたたび当たる。このような鍵装置の動作により、鍵の押鍵開始時には、演奏者は、ハンマーによる反力を鍵タッチとして感じる。また、鍵の押し切り時において、ストッパによって跳ね返されたハンマーが鍵にふたたび当たったときには、演奏者は、鍵を介してハンマーの慣性力による振動を鍵タッチとして感じる。
【先行技術文献】
【特許文献】
【０００４】
【特許文献１】実公平６−３１５０７号公報
【特許文献２】特開平１０−４９１６６号公報
【発明の概要】
【０００５】
前記従来の鍵装置においては、押鍵開始時に演奏者に対して良好な鍵タッチ感を与えるためには、ハンマーに設けた錘の重量をある程度大きくしておく必要がある。しかし、ハンマーに設けた錘の重量が大きいと、鍵の前端部における上方向の荷重の時間変化を示す図４のグラフにおいて破線で示すように、ストッパによって跳ね返されたハンマーが鍵にふたたび当たったときには、鍵を介して演奏者の指に伝わる振動は大きくなり、鍵タッチ感が悪化する。
【０００６】
本発明は、このような問題に対処するためになされたもので、その目的は、押鍵開始時の鍵タッチ感を良好に保ったうえで、ストッパによって跳ね返されたハンマーが鍵にふたたび当たったときの鍵タッチ感を悪化させないようにした鍵装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、第１発明の特徴は、前後方向に長尺状に形成されて上下方向に回動可能に支持され、演奏者の押離鍵操作により上下方向に回動する鍵（１０）と、押鍵操作による鍵の回動により駆動されて回動し、鍵の押鍵操作に対して反力を付与するハンマー（２０）と、前記回動したハンマーを衝突させてハンマーを跳ね返すストッパ（３３）又は発音体とを備えた鍵装置において、押鍵操作によるハンマーの駆動時には鍵がハンマーの所定の第１当接位置に当接し、かつストッパ又は発音体の跳ね返しによるハンマーの回動時には第１当接位置とは位置を異ならせたハンマーの第２当接位置が鍵に当接するようにし、ハンマーの第２当接位置に、鍵がストッパ又は発音体の跳ね返しによるハンマーの回動を受け止めるときの衝撃を和らげる第１緩衝部材（２３）を設けたことにある。
【０００８】
この場合、第１緩衝部材は、例えば、フェルト、スポンジなどの柔らかな材料で構成される。また、この場合、例えば、ハンマーに回動中心から上下方向に延びた延設部分を設けて、回動によるハンマーの水平方向の移動量を大きくするようにするとよい。
【０００９】
前記のように構成した第１発明においては、演奏者が鍵の前部を押すことにより押鍵操作を開始すると、鍵は上下方向に回動し始める。この鍵の回動により、鍵はハンマーの第１当接位置に当接してハンマーを駆動し、ハンマーも回動し始める。このとき、演奏者はハンマーによる反力を鍵を介して鍵タッチとして感じる。そして、この鍵の押鍵時すなわち鍵の押し切り時には、ハンマーはストッパ又は発音体によって跳ね返されて前記とは逆方向に回動する。そして、ハンマーの第２当接位置が鍵に当接して、ハンマーの回動は受け止められる。このとき、演奏者はハンマーの慣性力による振動を鍵を介して感じる。この第１発明においては、ハンマーの第２当接位置に、鍵がストッパ又は発音体の跳ね返しによるハンマーの回動を受け止めるときの衝撃を和らげる第１緩衝部材が設けられている。そのため、ハンマーの重量をある程度大きくしておいても、前記ハンマーの慣性力による振動は小さくなり、演奏者は前記ハンマーの慣性力による大きな振動を感じない。また、ハンマーの重量はある程度大きくてもよいので、押鍵開始時における鍵タッチ感は良好である。その結果、本発明によれば、押鍵開始時の鍵タッチ感を良好に保ったうえで、鍵の押し切り時の鍵タッチ感を悪化させないようにすることができる。
【００１０】
また、第１発明の他の特徴は、押鍵操作によるハンマーの駆動時にハンマーを駆動する鍵の駆動位置と同じ位置で、ストッパ又は発音体の跳ね返しによるハンマーの回動を受け止めるようにし、ハンマーの第１当接位置又は鍵の駆動位置に、第１緩衝部材よりも固い部材であって、押鍵操作によるハンマーの駆動時における衝撃を和らげる第２緩衝部材（２４）を設けたことにある。また、第１発明の他の特徴は、押鍵操作によるハンマーの駆動時にハンマーを駆動する鍵の駆動位置とは位置を異ならせた受け止め位置で、ストッパ又は発音体の跳ね返しによる前記ハンマーの回動を受け止めるようにし、ハンマーの第１当接位置又は鍵の駆動位置に、第１緩衝部材よりも固い部材であって、前記押鍵操作によるハンマーの駆動時における衝撃を和らげる第２緩衝部材（２４ａ）を設けたことにもある。
【００１１】
これらの場合、第２緩衝部材は、例えば、ゴム、人工皮革などの多少柔らかな材料で構成される。これによれば、押鍵操作によるハンマーの駆動時に、鍵の駆動位置がハンマーの第１当接位置に当接したときに受ける衝撃が適度に緩和され、押鍵操作によるハンマーの駆動時における鍵タッチ感もより良好になるとともに、機械的な雑音を小さくすることもできる。
【００１２】
また、第２発明の特徴は、前後方向に長尺状に形成されて上下方向に回動可能に支持され、演奏者の押離鍵操作により上下方向に回動する鍵（１０）と、押鍵操作による鍵の回動により駆動されて回動し、鍵の押鍵操作に対して反力を付与するハンマー（２０）と、前記回動したハンマーを衝突させてハンマーを跳ね返すストッパ（３３）又は発音体とを備えた鍵装置において、押鍵操作によるハンマーの駆動時には所定の駆動位置でハンマーを駆動し、かつストッパ又は発音体の跳ね返しによるハンマーの回動時には駆動位置とは位置を異ならせた鍵の受け止め位置でハンマーを受け止めするようにし、ハンマーの受け止め位置に、鍵がストッパ又は発音体の跳ね返しによるハンマーの回動を受け止めるときの衝撃を和らげる第１緩衝部材（２３）を設けたことにある。
【００１３】
この場合も、第１緩衝部材は、例えば、フェルト、スポンジなどの柔らかな材料で構成される。また、この場合も、例えば、ハンマーに回動中心から上下方向に延びた延設部分を設けて、回動によるハンマーの水平方向の移動量を大きくするようにするとよい。
【００１４】
前記のように構成した第２発明においても、演奏者が鍵の前部を押すことにより押鍵操作を開始すると、鍵は上下方向に回動し始める。この鍵の回動により、鍵は駆動位置でハンマーを駆動し、ハンマーも回動し始める。このとき、演奏者はハンマーによる反力を鍵を介して鍵タッチとして感じる。そして、この鍵の押鍵時すなわち鍵の押し切り時には、ハンマーはストッパ又は発音体によって跳ね返されて前記とは逆方向に回動する。そして、ハンマーの回動は、鍵の受け止め位置で受け止められる。このとき、演奏者はハンマーの慣性力による振動を鍵を介して感じる。この第２発明においては、鍵の受け止め位置に、鍵がストッパ又は発音体の跳ね返しによるハンマーの回動を受け止めるときの衝撃を和らげる第１緩衝部材が設けられている。そのため、ハンマーの重量をある程度大きくしておいても、前記ハンマーの慣性力による振動は小さくなり、演奏者は前記ハンマーの慣性力による大きな振動を感じない。また、ハンマーの重量はある程度大きくてもよいので、押鍵開始時における鍵タッチ感は良好である。その結果、第２発明によっても、押鍵開始時の鍵タッチ感を良好に保ったうえで、鍵の押し切り時の鍵タッチ感を悪化させないようにすることができる。
【００１５】
また、第２発明の他の特徴は、押鍵操作によるハンマーの駆動時に鍵の駆動位置が当接するハンマーの当接位置と同じ位置が、ストッパ又は発音体の跳ね返しによるハンマーの回動時に鍵の受け止め位置に当接するようにし、鍵の駆動位置又はハンマーの当接位置に、第１緩衝部材よりも固い部材であって、押鍵操作によるハンマーの駆動時における衝撃を和らげる第２緩衝部材（２４）を設けたことにある。
【００１６】
この場合も、第２緩衝部材は、例えば、ゴム、人工皮革などの多少柔らかな材料で構成される。これによれば、押鍵操作によるハンマーの駆動時に、鍵の駆動位置がハンマーの当接位置に当接したときに受ける衝撃が適度に緩和され、押鍵操作によるハンマーの駆動時における鍵タッチ感もより良好になるとともに、機械的な雑音を小さくすることもできる。
【図面の簡単な説明】
【００１７】
【図１】本発明の一実施形態に係り、離鍵状態にある鍵装置の概略側面図である。
【図２】ハンマーが回動してハンマーストッパに当接（衝突）した状態にある図1に示した鍵装置の概略側面図である。
【図３】ハンマーがハンマーストッパにより跳ね返されて鍵にふたたび当たった状態にある図1に示した鍵装置の概略側面図である。
【図４】鍵の前端部における上方向の荷重の変化を押鍵開始からの時間経過に従って示すグラフである。
【図５】前記実施形態の第１変形例に係り、離鍵状態にある鍵装置の概略側面図である。
【図６】前記実施形態の第２変形例に係り、離鍵状態にある鍵装置の概略側面図である。
【図７】前記実施形態の第３変形例に係り、離鍵状態にある鍵装置の概略側面図である。
【図８】（Ａ）は前記実施形態の第４変形例に係り離鍵状態にある鍵装置の概略側面図であり、（Ｂ）はハンマーがハンマーストッパにより跳ね返されて鍵にふたたび当たった状態にある前記第４変形例に係る鍵装置の概略側面図である。
【図９】（Ａ）は前記実施形態の第５変形例に係り離鍵状態にある鍵装置の概略側面図であり、（Ｂ）はハンマーがハンマーストッパにより跳ね返されて鍵にふたたび当たった状態にある前記第５変形例に係る鍵装置の概略側面図である。
【発明を実施するための形態】
【００１８】
以下、本発明の一実施形態に係り、電子鍵盤楽器に適用されて複数の白鍵及び黒鍵を備えた鍵盤装置内に設けた鍵装置について、図面を用いて説明する。図１は、離鍵状態にある鍵装置の概略側面図である。なお、本明細書においては、図1の左側及び右側をそれぞれ鍵装置の後側及び前側とし、図１の上側及び下側をそれぞれ鍵装置の上側及び下側として説明する。
【００１９】
鍵装置は、白鍵１０及びハンマー２０を備えている。白鍵１０は、樹脂により成型されて、縦断面形状が方形状であって前後方向に長尺状に形成されている。白鍵１０の前後方向の中間部には、白鍵１０の幅方向に延設された円形孔１０ａが形成されている。円形孔１０ａには、図示しない鍵盤フレーム（すなわち鍵盤装置内に固定された支持部材）側に設けられた回動軸１１を摺動可能に侵入させている。したがって、白鍵１０は、回動軸１１周りに上下方向に回動可能に鍵盤フレームに組み付けられている。すなわち、白鍵１０は、回動軸１１の中心を支点として、その前端部及び後端部を上下方向に回動可能に鍵盤フレームに支持されている。また、前後中間位置であって円形孔１０ａの後方の白鍵１０の上面には、上方に向けて突出した突起１０ｂが白鍵１０と一体成型されて設けられている。なお、この突起１０ｂが設けられた位置が、第１発明における鍵の駆動位置に対応する。
【００２０】
鍵盤フレームにおける白鍵１０の後端部の下方位置には、上ストッパ３１が鍵盤フレームに一体的に設けられ又は固定されている。上ストッパ３１は、白鍵１０の後端の下方への変位を規制するもので、白鍵１０の離鍵状態では白鍵１０の後端部の下面に当接している。鍵盤フレームにおける白鍵１０の前端部の下方位置には、下ストッパ３２が鍵盤フレームに一体的に設けられ又は固定されている。下ストッパ３２は、白鍵１０の前端の下方への変位を規制するもので、白鍵１０の離鍵状態では白鍵１０の前端部の下面から離れて位置する。これらの上ストッパ３１及び下ストッパ３２は、樹脂により成型されて、それらの上面には、フェルト、スポンジなどの緩衝部材が固着されている。
【００２１】
ハンマー２０は、樹脂により成型されて、前後方向に延設された前後延設部２０ａ及び上下方向に延設された上下延設部２０ｂを有する鈎型（Ｌ字型）に形成されている。ハンマー２０は、前後延設部２０ａを白鍵１０の後部上方に位置させ、かつ上下延設部２０ｂの上部を白鍵１０の前後方向中間であって白鍵１０よりも上方に位置させるとともに、上下延設部２０ｂの下部を白鍵１０の前後方向中間であって白鍵１０よりも下方に位置させている。ハンマー２０の上下延設部２０ｂの下端部には、ハンマー２０の幅方向に延設された円形孔２０ｃが形成されている。円形孔２０ｃには、鍵盤フレーム側に設けられた回動軸２１を摺動可能に侵入させている。したがって、ハンマー２０は、回動軸２１周りに上下方向に回動可能に鍵盤フレームに組み付けられている。すなわち、ハンマー２０は、回動軸２１の中心を支点として、その前後延設部２０ａを上下方向に回動可能に鍵盤フレームに支持されている。
【００２２】
ハンマー２０の前後延設部２０ａの後端部には、金属製の錘２２が固着されている。錘２２は、ハンマー２０の前後延設部２０ａの後端部を下方へ付勢するものであり、白鍵１０の押鍵に対して反力を付与、すなわち白鍵１０の前端部に上方向の荷重を付加するものである。前後延設部２０ａの中間部下面には、第１緩衝部材２３及び第２緩衝部材２４が固着されている。第１緩衝部材２３は、フェルト、スポンジなどの柔らかい材質の部材で構成され、第２緩衝部材２４よりも後側に位置している。第２緩衝部材２４は、第１緩衝部材２３よりも固く、ゴム、人工皮革などの多少柔らかい材質の部材で構成されている。白鍵１０の離鍵状態では、白鍵１０に設けた突起１０ｂが第２緩衝部材２４の下面に当接している。なお、第１緩衝部材２３が設けられているハンマー２０の前後延設部２０ａの下面位置が、第１発明におけるハンマーの第２当接位置に対応する。また、第２緩衝部材２４が設けられているハンマー２０の前後延設部２０ａの下面位置が、第１発明におけるハンマーの第１当接位置に対応する。
【００２３】
鍵盤フレームにおけるハンマー２０の前後延設部２０ａの後端部（錘２２）の上方位置には、ハンマーストッパ３３が鍵盤フレームに一体的に設けられ又は固定されている。ハンマーストッパ３３は、ハンマー２０の前後延設部２０ａの後端の上方への変位を規制するもので、白鍵１０の離鍵状態では前後延設部２０ａ（錘２２）の上面から離れて位置する。また、ハンマーストッパ３３も、樹脂により成型されて、それらの下面には、フェルト、スポンジなどの緩衝部材が固着されている。
【００２４】
次に、上記のように構成した鍵装置の動作を説明する。演奏者による演奏開始前には、鍵装置は図１の状態にある。この状態で、演奏者が白鍵１０の前端部上面を図示矢印のように押すと、白鍵１０は回動軸１１周りに回動して、白鍵１０の前端部が下方へ変位するとともに、白鍵１０の後端部が上ストッパ３１から離れて上方へ変位する。この白鍵１０の回動により、突起１０ｂがハンマー２０の中間部を第２緩衝部材２４を介して押し上げる。これにより、ハンマー２０は回動軸２１周りに回動し始めて、ハンマー２０の前後延設部２０ａが前方に変位するとともに、前後延設部２０ａの後端部が上方へ変位する。このような押鍵開始時には、ハンマー２０（錘２２）により、白鍵１０の前端部における上方への荷重は図４の矢印Ａで示すように急激に増加する。そして、演奏者は、この急激に増加する荷重を、押鍵操作に対する反力すなわち押鍵操作開始時における鍵タッチとして感じる。
【００２５】
白鍵１０は、押し続けられることにより、その前端部を下方にさらに変位させて、前端部の下面が下ストッパ３２に当接して、白鍵１０の回動も停止する。この白鍵１０を押し切った際に、白鍵１０の前端部における上方への荷重は図４の矢印Ｂで示すように急激に多少増加し、演奏者は、この急激に多少増加する荷重を、押鍵操作に対する反力すなわち押し切り時における鍵タッチ（ストップ感）として感じる。一方、白鍵１０の回動が停止しても、白鍵１０と共に回動していたハンマー２０は慣性により回動し続けるので、第２緩衝部材２４の下面は突起１０ｂから離れ、ハンマー２０の前後延設部２０ａは上方へ変位する。そして、ハンマー２０がさらに回動すると、ハンマー２０の前後延設部２０ａ（錘２２）の上面がハンマーストッパ３３に当接（衝突）して、ハンマー２０の回動は停止する。この状態が図２に示す状態である。なお、白鍵１０をフルストロークさせないで、白鍵１０を強くかつ速く押鍵した場合には、白鍵１０は下ストッパ３２に当接する前に回動が停止するが、ハンマー２０は慣性で回動し続け、ハンマーストッパ３３に当接した後、その回動は停止する。
【００２６】
そして、ハンマー２０の前後延設部２０ａ（錘２２）のハンマーストッパ３３への衝突により、ハンマー２０は、ハンマーストッパ３３により跳ね返されて、回動軸２１周りに前記と逆方向に回動し始めて、その前後延設部２０ａの後端部を下方へ変位させる。このハンマー２０の回動がさらに進むと、第１緩衝部材２３の下面が押し切った状態にある白鍵１０の突起１０ｂに当接（衝突）して、ハンマー２０の回動も停止する。これは、この状態では、突起１０ｂは離鍵時に比べて上方に変位しているが、前方への変位量は極めて少ない。これ対して、ハンマー２０には上下延設部２０ｂが設けられて、回動中心を白鍵１０の下方に位置させているので、この状態では、ハンマー２０の前後延設部２０ａは前方にある程度大きく変位している。したがって、この場合には、突起１０ｂは第１緩衝部材２３の下面に当接することになる。
【００２７】
この状態が、ハンマーストッパ３３によるハンマー２０の跳ね返しにより、ハンマー２０の前後延設部２０ａが白鍵１０にふたたび当たった状態であり、鍵装置は図３に示す状態となる。このとき、第１緩衝部材２３を介した、白鍵１０の突起１０ｂへのハンマー２０の前後延設部２０ａの下面の衝突による衝撃より、白鍵１０には、多少の振動が発生する。しかし、第１緩衝部材２３による衝撃の緩和により、図４の矢印Ｃで示すように、白鍵１０の前端部における上方への荷重は一瞬増加するが、その増加量は小さい。
【００２８】
その後、演奏者が白鍵１０の前端部の押圧を解除すなわち離鍵すれば、白鍵１０は回動軸１１周りに回動して、白鍵１０の前端部が上方へ変位するとともに、白鍵１０の後端部が下方に変位する。そして、白鍵１０の後端部の下面が上ストッパ３１に当接して、白鍵１０の前記回動は停止する。また、ハンマー２０は、白鍵１０と共に、回動軸２１周りに回動して、白鍵１０の回動停止と同時に、ハンマー２０の前記回動も停止し、鍵装置は前述した図１の離鍵状態に復帰する。
【００２９】
また、前述した白鍵１０の押鍵動作において、演奏者が白鍵１０の前端部をゆっくり押した場合には、白鍵１０の突起１０ｂは、第２緩衝部材２４の下面を摺動して移動した後に、第１緩衝部材２３の下面を摺動し始める。この第２緩衝部材２４の下面から第１緩衝部材２３の下面への突起１０ｂの移動時には、第１緩衝部材２３は第２緩衝部材２４よりも柔らかいので、白鍵１０の前端部における上方への荷重は一瞬多少減少する。これにより、演奏者は、押鍵時における軽いレットオフ感を感じることができる。
【００３０】
なお、鍵盤装置は、白鍵１０及び黒鍵の両者を備えているが、上記実施形態では、白鍵１０についてのみ説明した。しかし、黒鍵の形状は白鍵とは異なるが、それ以外の黒鍵に関する部分は白鍵１０の場合と同じである。すなわち、黒鍵とハンマーとの関係、黒鍵及びハンマーの回動構造などは、白鍵１０の場合と同じであるので、黒鍵に関する説明を省略する。
【００３１】
また、上述した鍵盤装置は電子鍵盤楽器に適用されるものであるが、楽音信号の発生についても省略した。ここで、楽音信号の発生について簡単に説明しておく。例えば、白鍵１０の下方には、鍵盤フレームに固定された図示省略した鍵スイッチが設けられており、この鍵スイッチは白鍵１０の押鍵時にオンし、かつ離鍵時にオフするようになっている。そして、この鍵スイッチのオン・オフ動作に応答して、楽音信号を発生する楽音信号発生回路を動作させて、楽音信号を楽音として発生させる。
【００３２】
上記実施形態に係る鍵装置においては、上記説明からも理解できるように、ハンマー２０の前後延設部２０ａの下面に第１緩衝部材２３を設けて、ハンマーストッパ３３の跳ね返しによるハンマー２０の前後延設部２０ａの白鍵１０の突起１０ｂへの当接時の衝撃を和らげるようにしている。そのため、ハンマー２０の重量すなわち錘２２の重量をある程度大きくしておいても、ハンマー２０の慣性力による振動は小さくなり、演奏者は、前後延設部２０ａの突起１０ｂへの当接時において、ハンマーの慣性力による大きな振動を感じない。これにより、ハンマー２０の重量はある程度大きくてもよいので、押鍵開始時における鍵タッチ感は良好である。その結果、上記実施形態によれば、押鍵開始時の鍵タッチ感を良好に保ったうえで、鍵の押し切り時の鍵タッチ感を悪化させないようにすることができる。
【００３３】
また、上記実施形態においては、ハンマー２０の前後延設部２０ａの下面に、第１緩衝部材２３よりも固い第２緩衝部材２４を設けるようにした。これによれば、突起１０ｂによるハンマー２０の駆動時における衝撃も適度に緩和することができるようにもなり、押鍵開始時おける鍵タッチ感がより良好になるとともに、機械的な雑音を小さくすることもできる。
【００３４】
なお、上記実施形態においては、白鍵１０の押鍵操作により駆動されるハンマー２０の前後延設部２０ａの下面位置に第２緩衝部材２４を設けるようにした。しかし、この第２緩衝部材２４に代え又は加えて、押鍵操作によりハンマー２０を駆動する位置である突起１０ｂの上端部に第２緩衝部材２４と同様な固さの緩衝部材を設けるようにしてもよい。この変形例によっても、突起１０ｂによるハンマー２０の駆動時における衝撃を適度に緩和することができるようになるとともに、機械的な雑音を小さくすることもできる。
【００３５】
ａ．第１変形例
次に、上記実施形態において白鍵１０の下方に設けた回動軸２１を、白鍵１０の上方に設けるようにした第１変形例について説明する。図５は、第１変形例に係り、離鍵状態にある鍵装置の概略側面図である。この第１変形例でも、上記実施形態と同様な部品を用いるので、上記実施形態と同じ符号を用いて説明する。なお、第１変形例の説明においても、図５の左側及び右側をそれぞれ鍵装置の後側及び前側とし、図５の上側及び下側をそれぞれ鍵装置の上側及び下側として説明する。
【００３６】
この第１変形例では、ハンマー２０を上記実施形態とは上下逆にして位置させる。そして、前後延設部２０ａは白鍵１０の後部上方にて前後方向に延設しており、上下延設部２０ｂは前後延設部２０ａの前端部から上方に延設している。上下延設部２０ｂの上端部には、円形孔２０ｃが設けられている。円形孔２０ｃには、鍵盤フレーム側に設けられた回動軸２１が摺動可能に侵入している。また、第１緩衝部材２３と第２緩衝部材２４は、上記実施形態とは前後逆にして、前後延設部２０ａの下面に固着されている。すなわち、第１緩衝部材２３が第２緩衝部材２４の前方に位置する。突起１０ｂは、白鍵１０の上面に設けられており、その上端が白鍵１０の離鍵状態では第２緩衝部材２４の下面に当接している。他の構成は、上記実施形態と同じである。なお、この第１変形例においても、突起１０ｂが設けられた位置が第1発明における鍵の駆動位置に対応し、第１緩衝部材２３が設けられているハンマー２０の前後延設部２０ａの下面位置が第１発明におけるハンマーの第２当接位置に対応し、かつ第２緩衝部材２４が設けられているハンマー２０の前後延設部２０ａの下面位置が第１発明における第１当接位置に対応する。
【００３７】
前記のように構成した第１変形例においては、演奏者による演奏開始前には、鍵装置は図５の状態にある。この状態で、演奏者が白鍵１０の前端部上面を図示矢印のように押すと、白鍵１０は上記実施形態の場合と同様な回動軸１１周りの回動により、突起１０ｂがハンマー２０の中間部を第２緩衝部材２４を介して押し上げる。これにより、ハンマー２０は回動軸２１周りに回動し始めて、ハンマー２０の前後延設部２０ａが後方に変位するとともに、前後延設部２０ａの後端部が上方へ変位する。
【００３８】
白鍵１０は、押し続けられることにより、その前端部を下方にさらに変位させて、前端部の下面が下ストッパ３２に当接して、白鍵１０の回動も停止し、白鍵１０を押し切った状態となる。一方、ハンマー２０は慣性力により回動し続け、第２緩衝部材２４の下面は突起１０ｂから離れ、ハンマー２０の前後延設部２０ａは上方へ変位する。そして、ハンマー２０がさらに回動すると、ハンマー２０の前後延設部２０ａ（錘２２）の上面がハンマーストッパ３３に当接（衝突）して、ハンマー２０の回動は停止する。なお、この第1変形例においても、白鍵１０をフルストロークさせないで、白鍵１０を強くかつ速く押鍵した場合には、白鍵１０は下ストッパ３２に当接する前に回動が停止するが、ハンマー２０は慣性で回動し続け、ハンマーストッパ３３に当接した後、その回動は停止する。
【００３９】
そして、ハンマー２０の前後延設部２０ａ（錘２２）のハンマーストッパ３３への衝突により、ハンマー２０は、ハンマーストッパ３３により跳ね返されて、回動軸２１周りに前記と逆方向に回動し始めて、その前後延設部２０ａの後端部を下方へ変位させる。このハンマー２０の回動がさらに進むと、第１緩衝部材２３の下面が押し切った状態にある白鍵１０の突起１０ｂに当接（衝突）して、ハンマー２０の回動も停止する。これは、この状態では、突起１０ｂは離鍵時に比べて上方に変位しているが、前方への変位量は極めて少ない。これ対して、ハンマー２０には上下延設部２０ｂが設けられて、回動中心を白鍵１０の上方に位置させているので、この状態では、ハンマー２０の前後延設部２０ａは後方にある程度大きく変位している。したがって、この場合には、突起１０ｂは第１緩衝部材２３の下面に当接することになる。
【００４０】
その後、演奏者が白鍵１０の前端部の押圧を解除すなわち離鍵すれば、上記実施形態の場合と同様に、白鍵１０は回動軸１１周りに回動するとともに、ハンマー２０は回動軸２１周りに回動して、鍵装置は前述した図５の離鍵状態に復帰する。
【００４１】
また、この第１変形例においても、前述した白鍵１０の押鍵動作において、演奏者が白鍵１０の前端部をゆっくり押した場合には、白鍵１０の突起１０ｂは、第２緩衝部材２４の下面を摺動して移動した後に、第１緩衝部材２３の下面を摺動し始める。したがって、この第１変形例においても、演奏者は、上記実施形態の場合と同様に、押鍵時における軽いレットオフ感を感じることができる。
【００４２】
前記第１変形例に係る鍵装置においても、ハンマー２０の前後延設部２０ａの下面に第１緩衝部材２３を設けて、ハンマーストッパ３３の跳ね返しによるハンマー２０の前後延設部２０ａの白鍵１０の突起１０ｂへの当接時の衝撃を和らげるようにしている。  また、第１変形例においても、ハンマー２０の前後延設部２０ａの下面に、第１緩衝部材２３よりも固い第２緩衝部材２４を設けて、突起１０ｂによるハンマー２０の駆動時における衝撃も適度に緩和するようにしている。したがって、第１変形例においても、上記実施形態と同様に、押鍵開始時の鍵タッチ感を良好にできるとともに、鍵の押し切り時の鍵タッチ感を悪化させないようにすることができる。また、第２緩衝部材２４により、押鍵開始時における機械的な雑音を小さくすることもできる。
【００４３】
なお、上記第１変形例においても、白鍵１０の押鍵操作により駆動されるハンマー２０の前後延設部２０ａの下面位置に第２緩衝部材２４を設けるようにした。しかし、この第２緩衝部材２４に代え又は加えて、押鍵操作によりハンマー２０を駆動する位置である突起１０ｂの上端部に第２緩衝部材２４と同様な固さの緩衝部材を設けるようにしてもよい。この変形例によっても、突起１０ｂによるハンマー２０の駆動時における衝撃を適度に緩和することができるようになるとともに、機械的な雑音を小さくすることもできる。
【００４４】
ｂ．第２変形例
次に、上記実施形態においてハンマー２０の前後延設部２０ａの下面に設けた第１緩衝部材２３及び第２緩衝部材２４を、白鍵１０の上面に設けるようにした第２変形例について説明する。図６は、第２変形例に係り、離鍵状態にある鍵装置の概略側面図である。この第２変形例でも、上記実施形態とほぼ同様な部品を用いるので、上記実施形態と同じ部分には上記実施形態と同じ部品の符号を用いて説明する。なお、第２変形例の説明においても、図６の左側及び右側をそれぞれ鍵装置の後側及び前側とし、図６の上側及び下側をそれぞれ鍵装置の上側及び下側として説明する。
【００４５】
この第２変形例では、第１緩衝部材２３と第２緩衝部材２４は、上記実施形態とは前後逆にして、白鍵１０の後部上面に固着されている。すなわち、第１緩衝部材２３は第２緩衝部材２４よりも前方に位置する。そして、この第２変形例においては、上記実施形態の突起１０ｂに代えて、ハンマー２０の前後延設部２０ａの下面に、下方に向けて突出した突起２０ｄが設けられ、突起２０ｄの下端が、白鍵１０の離鍵状態では、第２緩衝部材２４の上面に当接している。他の構成は、上記実施形態と同じである。なお、この第２変形例においては、第１緩衝部材２３が設けられている白鍵１０の上面位置が第２発明における鍵の受け止め位置に対応し、第２緩衝部材２４が設けられている白鍵１０の上面位置が第２発明における鍵の駆動位置に対応し、かつ突起２０ｄが設けられた位置が第２発明におけるハンマーの当接位置に対応する。
【００４６】
前記のように構成した第２変形例においては、演奏者による演奏開始前には、鍵装置は図６の状態にある。この状態で、演奏者が白鍵１０の前端部上面を図示矢印のように押すと、白鍵１０は上記実施形態の場合と同様な回動軸１１周りの回動により、白鍵１０の上面に設けた第２緩衝部材２４がハンマー２０に設けた突起２０ｄを押し上げる。すなわち、白鍵１０が第２緩衝部材２４を介してハンマー２０を押し上げる。これにより、ハンマー２０は回動軸２１周りに回動し始めて、ハンマー２０の前後延設部２０ａが前方に変位するとともに、前後延設部２０ａの後端部が上方へ変位する。
【００４７】
白鍵１０は、押し続けられることにより、その前端部を下方にさらに変位させて、前端部の下面が下ストッパ３２に当接して、白鍵１０の回動も停止し、白鍵１０を押し切った状態となる。一方、ハンマー２０は慣性力により回動し続け、ハンマー２０の突起２０ｄは第２緩衝部材２４の上面から離れ、ハンマー２０の前後延設部２０ａは上方へ変位する。そして、ハンマー２０がさらに回動すると、ハンマー２０の前後延設部２０ａ（錘２２）の上面がハンマーストッパ３３に当接（衝突）して、ハンマー２０の回動は停止する。なお、この第２変形例においても、白鍵１０をフルストロークさせないで、白鍵１０を強くかつ速く押鍵した場合には、白鍵１０は下ストッパ３２に当接する前に回動が停止するが、ハンマー２０は慣性で回動し続け、ハンマーストッパ３３に当接した後、その回動は停止する。
【００４８】
そして、ハンマー２０の前後延設部２０ａ（錘２２）のハンマーストッパ３３への衝突により、ハンマー２０は、ハンマーストッパ３３により跳ね返されて、回動軸２１周りに前記と逆方向に回動し始めて、その前後延設部２０ａの後端部を下方へ変位させる。このハンマー２０の回動がさらに進むと、ハンマー２０に設けた突起２０ｄの下端が、押し切った状態にある白鍵１０に設けた第１緩衝部材２３の上面に当接（衝突）して、ハンマー２０の回動も停止する。これは、この状態では、第１緩衝部材２３及び第２緩衝部材２４は離鍵時に比べて上方に変位しているが、前方への変位量は極めて少ない。これ対して、ハンマー２０には上下延設部２０ｂが設けられて、回動中心を白鍵１０の下方に位置させているので、この状態では、ハンマー２０の前後延設部２０ａは前方にある程度大きく変位している。したがって、この場合には、突起２０ｄは第１緩衝部材２３の上面に当接することになる。
【００４９】
その後、演奏者が白鍵１０の前端部の押圧を解除すなわち離鍵すれば、上記実施形態の場合と同様に、白鍵１０は回動軸１１周りに回動するとともに、ハンマー２０は回動軸２１周りに回動して、鍵装置は前述した図６の離鍵状態に復帰する。
【００５０】
また、この第２変形例においても、前述した白鍵１０の押鍵動作において、演奏者が白鍵１０の前端部をゆっくり押した場合には、ハンマー２０に設けた突起２０ｄは、第２緩衝部材２４の上面を摺動して移動した後に、第１緩衝部材２３の上面を摺動し始める。したがって、この第２変形例においても、演奏者は、上記実施形態の場合と同様に、押鍵時における軽いレットオフ感を感じることができる。
【００５１】
前記第２変形例に係る鍵装置においても、白鍵１０の後部上面に第１緩衝部材２３を設けて、ハンマーストッパ３３の跳ね返しによるハンマー２０の前後延設部２０ａに設けた突起２０ｄの白鍵１０への当接時の衝撃を和らげるようにしている。また、第２変形例においても、白鍵１０の後部上面に、第１緩衝部材２３よりも固い第２緩衝部材２４を設けて、第２緩衝部材２４及び突起２０ｄを介したハンマー２０の駆動時における衝撃も適度に緩和するようにしている。したがって、第２変形例においても、上記実施形態と同様に、押鍵開始時の鍵タッチ感を良好にできるとともに、鍵の押し切り時の鍵タッチ感を悪化させないようにすることができる。また、第２緩衝部材２４により、押鍵開始時における機械的な雑音を小さくすることもできる。
【００５２】
なお、上記第２変形例においても、押鍵操作時にハンマー２０を駆動する白鍵１０の前後延設部２０ａの下面位置に第２緩衝部材２４を設けるようにした。しかし、この第２緩衝部材２４に代え又は加えて、押鍵操作により白鍵１０により駆動される位置である突起２０ｄ側の下端部に第２緩衝部材２４と同様な固さの緩衝部材を設けるようにしてもよい。この変形例によっても、突起１０ｂを介したハンマー２０の駆動時における衝撃を適度に緩和することができるようになるとともに、機械的な雑音を小さくすることもできる。
【００５３】
ｃ．第３変形例
次に、上記第２変形例において白鍵１０の下方に設けた回動軸２１を、白鍵１０の上方に設けるようにした第３変形例について説明する。図７は、第３変形例に係り、離鍵状態にある鍵装置の概略側面図である。この第３変形例でも、上記第２変形例と同様な部品を用いるので、上記第２変形例と同じ符号を用いて説明する。なお、第３変形例の説明においても、図７の左側及び右側をそれぞれ鍵装置の後側及び前側とし、図７の上側及び下側をそれぞれ鍵装置の上側及び下側として説明する。
【００５４】
この第３変形例では、ハンマー２０を上記第２変形例とは上下逆にして、上記第１変形例と同様に位置させる。すなわち、前後延設部２０ａは白鍵１０の後部上方にて前後方向に延設しており、上下延設部２０ｂは前後延設部２０ａの前端部から上方に延設している。上下延設部２０ｂの上端部に設けた円形孔２０ｃには、鍵盤フレーム側に設けられた回動軸１１が摺動可能に侵入している。また、第１緩衝部材２３と第２緩衝部材２４は、上記第２変形例とは前後逆にして、白鍵１０の後部上面に固着されている。すなわち、第１緩衝部材２３は第２緩衝部材２４よりも後方に位置する。突起２０ｄは、ハンマー２０の前後延設部２０ａ下面に設けられており、その下端が白鍵１０の離鍵状態では第２緩衝部材２４の上面に当接している。他の構成は、上記第２変形例と同じである。なお、この第３変形例においても、第１緩衝部材２３が設けられている白鍵１０の上面位置が第２発明における鍵の受け止め位置に対応し、第２緩衝部材２４が設けられている白鍵１０の上面位置が第２発明における鍵の駆動位置に対応し、かつ突起２０ｄが設けられた位置が第２発明におけるハンマーの当接位置に対応する。
【００５５】
前記のように構成した第３変形例においては、演奏者による演奏開始前には、鍵装置は図７の状態にある。この状態で、演奏者が白鍵１０の前端部上面を図示矢印のように押すと、白鍵１０は上記第２変形例の場合と同様な回動軸１１周りの回動により、白鍵１０の上面に設けた第２緩衝部材２４がハンマー２０に設けた突起２０ｄを押し上げる。すなわち、白鍵１０が第２緩衝部材２４を介してハンマー２０を押し上げる。これにより、ハンマー２０は回動軸２１周りに回動し始めて、ハンマー２０の前後延設部２０ａが後方に変位するとともに、前後延設部２０ａの後端部が上方へ変位する。
【００５６】
白鍵１０は、押し続けられることにより、その前端部を下方にさらに変位させて、前端部の下面が下ストッパ３２に当接して、白鍵１０の回動も停止し、白鍵１０を押し切った状態となる。一方、ハンマー２０は慣性力により回動し続け、ハンマー２０の突起２０ｄは第２緩衝部材２４の上面から離れ、ハンマー２０の前後延設部２０ａは上方へ変位する。そして、ハンマー２０がさらに回動すると、ハンマー２０の前後延設部２０ａ（錘２２）の上面がハンマーストッパ３３に当接（衝突）して、ハンマー２０の回動は停止する。なお、この第３変形例においても、白鍵１０をフルストロークさせないで、白鍵１０を強くかつ速く押鍵した場合には、白鍵１０は下ストッパ３２に当接する前に回動が停止するが、ハンマー２０は慣性で回動し続け、ハンマーストッパ３３に当接した後、その回動は停止する。
【００５７】
そして、ハンマー２０の前後延設部２０ａ（錘２２）のハンマーストッパ３３への衝突により、ハンマー２０は、ハンマーストッパ３３により跳ね返されて、回動軸２１周りに前記と逆方向に回動し始めて、その前後延設部２０ａの後端部を下方へ変位させる。このハンマー２０の回動がさらに進むと、ハンマー２０に設けた突起２０ｄが押し切った状態にある白鍵１０に設けた第１緩衝部材２３の上面に当接（衝突）して、ハンマー２０の回動も停止する。これは、この状態では、第１緩衝部材２３及び第２緩衝部材２４は離鍵時に比べて上方に変位しているが、前方への変位量は極めて少ない。これ対して、ハンマー２０には上下延設部２０ｂが設けられて、回動中心を白鍵１０の上方に位置させているので、この状態では、ハンマー２０の前後延設部２０ａは後方にある程度大きく変位している。したがって、この場合にも、突起２０ｄは第１緩衝部材２３の上面に当接することになる。
【００５８】
その後、演奏者が白鍵１０の前端部の押圧を解除すなわち離鍵すれば、上記実施形態の場合と同様に、白鍵１０は回動軸１１周りに回動するとともに、ハンマー２０は回動軸２１周りに回動して、鍵装置は前述した図６の離鍵状態に復帰する。
【００５９】
また、この第３変形例においても、前述した白鍵１０の押鍵動作において、演奏者が白鍵１０の前端部をゆっくり押した場合には、ハンマー２０に設けた突起２０ｄは、第２緩衝部材２４の上面を摺動して移動した後に、第１緩衝部材２３の上面を摺動し始める。したがって、この第３変形例においても、演奏者は、上記実施形態の場合と同様に、押鍵時における軽いレットオフ感を感じることができる。
【００６０】
前記第３変形例に係る鍵装置においても、白鍵１０の後部上面に第１緩衝部材２３を設けて、ハンマーストッパ３３の跳ね返しによるハンマー２０の前後延設部２０ａに設けた突起２０ｄの白鍵１０への当接時の衝撃を和らげるようにしている。また、第３変形例においても、白鍵１０の後部上面に、第１緩衝部材２３よりも固い第２緩衝部材２４を設けて、第２緩衝部材２４及び突起２０ｄを介したハンマー２０の駆動時における衝撃も適度に緩和するようにしている。したがって、第３変形例においても、上記実施形態（第２変形例）と同様に、押鍵開始時の鍵タッチ感を良好にできるとともに、鍵の押し切り時の鍵タッチ感を悪化させないようにすることができる。また、第２緩衝部材２４により、押鍵開始時における機械的な雑音を小さくすることもできる。
【００６１】
なお、上記第３変形例においても、押鍵操作時にハンマー２０を駆動する白鍵１０の前後延設部２０ａの上面位置に第２緩衝部材２４を設けるようにした。しかし、この第２緩衝部材２４に代え又は加えて、押鍵操作により白鍵１０により駆動される位置である突起２０ｄの下端部に第２緩衝部材２４と同様な固さの緩衝部材を設けるようにしてもよい。この変形例によっても、突起１０ｂを介したハンマー２０の駆動時における衝撃を適度に緩和することができるようになるとともに、機械的な雑音を小さくすることもできる。
【００６２】
ｄ．第４変形例
次に、押鍵操作によるハンマー２０の駆動時にハンマー２０を駆動する白鍵１０の駆動位置と、ハンマーストッパ３３の跳ね返しによるハンマー２０の回動を受け止める白鍵１０の受け止め位置とを異ならせ、かつ押鍵操作によるハンマー２０の駆動時に白鍵１０の駆動位置が当接するハンマー２０の当接位置と、ハンマーストッパ３３の跳ね返しによるハンマー２０の回動時に白鍵１０の受け止め位置に当接するハンマー２０の当接位置を異ならせた第４変形例について説明する。図８（Ａ）は、第４変形例に係り、離鍵状態にある鍵装置の概略側面図である。この第４変形例でも、上記実施形態とほぼ同様な部品を用いるので、上記実施形態と同じ部分には上記実施形態と同じ部品の符号を用いて説明する。なお、第４変形例の説明においても、図８（Ａ）の左側及び右側をそれぞれ鍵装置の後側及び前側とし、図８（Ａ）の上側及び下側をそれぞれ鍵装置の上側及び下側として説明する。
【００６３】
この第４変形例においては、白鍵１０には、その後端から前方へ所定の長さに渡って上面を上記実施形態よりも高くした支持部１０ｃが設けられている。支持部１０ｃの上面前端部は方形状に切り欠かれており、この切り欠かれた部分に第２緩衝部材２４が固着されている。ハンマー２０の前後延設部２０ａには、その前端部において下面を上記実施形態よりも低くした支持部２０ｅが設けられている。第１緩衝部材２３は、支持部２０ｅの後方位置にて、ハンマー２０の前後延設部２０ａの下面に固着されている。そして、白鍵１０の離鍵状態において、第１緩衝部材２３の下面は、ハンマー２０の支持部２０ｅよりも後方にて、白鍵１０の支持部１０ｃの上面にほぼ当接している。また、第２緩衝部材２４の上面は、ハンマー２０の支持部２０ｅの下面後端部に当接している。他の構成は、上記実施形態と同じである。なお、この第４変形例においては、第２緩衝部材２４が設けられている白鍵１０の支持部１０ｃの上面位置が第１発明における鍵の駆動位置に対応し、第１緩衝部材２３に対向する白鍵１０の支持部１０ｃの上面位置が第１発明における受け止め位置に対応し、ハンマー２０の支持部２０ｅの下面後端部位置が第１発明におけるハンマーの第１当接位置に対応し、かつ第１緩衝部材２３が設けられているハンマー２０の前後延設部２０ａの下面位置が第１発明におけるハンマーの第２当接位置に対応する。
【００６４】
前記のように構成した第４変形例においては、演奏者による演奏開始前には、鍵装置は図８（Ａ）の状態にある。この状態で、演奏者が白鍵１０の前端部上面を図示矢印のように押すと、白鍵１０は上記実施形態の場合と同様な回動軸１１周りの回動により、白鍵１０の支持部１０ｃに設けた第２緩衝部材２４がハンマー２０の支持部２０ｅの下面後端部を押し上げる。すなわち、白鍵１０が第２緩衝部材２４を介してハンマー２０を押し上げる。これにより、ハンマー２０は回動軸２１周りに回動し始めて、ハンマー２０の前後延設部２０ａが前方に変位するとともに、前後延設部２０ａの後端部が上方へ変位する。なお、ハンマー２０の押し上げ時には、第１緩衝部材２３の下面は支持部１０ｃの上面にほぼ当接しているが、第１緩衝部材２３は第２緩衝部材２４よりも柔らかいので、支持部１０ｃによる第１緩衝部材２３の押し上げはない。
【００６５】
白鍵１０は、押し続けられることにより、その前端部を下方にさらに変位させて、前端部の下面が下ストッパ３２に当接して、白鍵１０の回動も停止し、白鍵１０を押し切った状態となる。一方、ハンマー２０は慣性力により回動し続け、ハンマー２０の支持部２０ｅは白鍵１０の支持部１０ｃに設けた第２緩衝部材２４の上面から離れ、ハンマー２０の前後延設部２０ａは上方へ変位する。そして、ハンマー２０がさらに回動すると、ハンマー２０の前後延設部２０ａ（錘２２）の上面がハンマーストッパ３３に当接（衝突）して、ハンマー２０の回動は停止する。なお、この第４変形例においても、白鍵１０をフルストロークさせないで、白鍵１０を強くかつ速く押鍵した場合には、白鍵１０は下ストッパ３２に当接する前に回動が停止するが、ハンマー２０は慣性で回動し続け、ハンマーストッパ３３に当接した後、その回動は停止する。
【００６６】
そして、ハンマー２０の前後延設部２０ａ（錘２２）のハンマーストッパ３３への衝突により、ハンマー２０は、ハンマーストッパ３３により跳ね返されて、回動軸２１周りに前記と逆方向に回動し始めて、その前後延設部２０ａの後端部を下方へ変位させる。このハンマー２０の回動がさらに進むと、ハンマー２０の前後延設部２０ａの下面に設けた第１緩衝部材２３が、押し切った状態にある白鍵１０の支持部１０ｃの上面に当接（衝突）して、ハンマー２０の回動も停止する。図８（Ｂ）は、この状態にある鍵装置を示している。これは、この状態では、白鍵１０の支持部１０ｃは離鍵時に比べて上方に変位しているが、前方への変位量は極めて少ない。これ対して、ハンマー２０には上下延設部２０ｂが設けられて、回動中心を白鍵１０の下方に位置させているので、この状態では、ハンマー２０の前後延設部２０ａは前方にある程度大きく変位している。したがって、この場合には、支持部１０ｃの上面であって第２緩衝部材２４の後方位置に、第１緩衝部材２３の下面が当接することになる。なお、この状態では、ハンマー２０の前後延設部２０ａの前方への変位により、第２緩衝部材２４はハンマー２０の支持部２０ｅの後方に位置する。
【００６７】
その後、演奏者が白鍵１０の前端部の押圧を解除すなわち離鍵すれば、上記実施形態の場合と同様に、白鍵１０は回動軸１１周りに回動するとともに、ハンマー２０は回動軸２１周りに回動して、鍵装置は前述した図８（Ａ）の離鍵状態に復帰する。
【００６８】
前記第４変形例に係る鍵装置においても、ハンマー２０の前後延設部２０ａの下面に第１緩衝部材２３を設けて、ハンマーストッパ３３の跳ね返しによるハンマー２０の下面の白鍵１０への当接時の衝撃を和らげるようにしている。また、第４変形例においては、白鍵１０の支持部１０ｃの上面前端部に、第１緩衝部材２３よりも固い第２緩衝部材２４を設けて、第２緩衝部材２４を介したハンマー２０の駆動時における衝撃も適度に緩和するようにしている。したがって、第４変形例においても、上記実施形態と同様に、押鍵開始時の鍵タッチ感を良好にできるとともに、鍵の押し切り時の鍵タッチ感を悪化させないようにすることができる。また、第２緩衝部材２４により、押鍵開始時における機械的な雑音を小さくすることもできる。
【００６９】
なお、上記第４変形例においては、押鍵操作時にハンマー２０を駆動する白鍵１０の支持部１０ｃの前端部に第２緩衝部材２４を設けるようにした。しかし、この第２緩衝部材２４に代え又は加えて、図８（Ａ）及び図８（Ｂ）に破線で示すように、押鍵操作により白鍵１０により駆動される位置であるハンマー２０の支持部２０ｅの後端部に第２緩衝部材２４と同様な固さの緩衝部材２４ａを設けるようにしてもよい。この変形例によっても、白鍵１０によるハンマー２０の駆動時における衝撃を適度に緩和することができるようになるとともに、機械的な雑音を小さくすることもできる。
【００７０】
ｅ．第５変形例
次に、上記第４変形例においてハンマー２０の前後延設部２０ａの下面に設けた第１緩衝部材２３を白鍵１０側に設け、かつ上記第４変形例において白鍵１０の支持部１０ｃの前端部に設けた第２緩衝部材２４をハンマー２０側に設けるようにした第５変形例について説明する。図９（Ａ）は、第５変形例に係り、離鍵状態にある鍵装置の概略側面図である。この第５変形例でも、上記実施形態とほぼ同様な部品を用いるので、上記実施形態と同じ部分には上記実施形態と同じ部品の符号を用いて説明する。なお、第５変形例の説明においても、図９（Ａ）の左側及び右側をそれぞれ鍵装置の後側及び前側とし、図９（Ａ）の上側及び下側をそれぞれ鍵装置の上側及び下側として説明する。
【００７１】
この第５変形例においても、白鍵１０には、上記第４変形例と同様に、その後端から前方へ所定の長さに渡って上面を上記実施形態よりも高くした支持部１０ｃが設けられている。支持部１０ｃの上面には、その前端から所定距離だけ隔てた位置に第１緩衝部材２３が固着されている。ハンマー２０の前後延設部２０ａには、上記第４変形例と同様に、その前端部において下面を上記実施形態よりも低くした支持部２０ｅが設けられている。この支持部２０ｅの下面後端部は方形状に切り欠かれており、この切り欠かれた部分に第２緩衝部材２４が固着されている。そして、白鍵１０の離鍵状態において、第１緩衝部材２３の上面は、ハンマー２０の支持部２０ｅよりも後方の前後延設部２０ａの下面にほぼ当接している。また、第２緩衝部材２４の下面は、第１緩衝部材２３よりも前側位置にて白鍵１０の支持部１０ｃの上面前端部に当接している。他の構成は、上記実施形態と同じである。なお、この第５変形例においては、白鍵１０の支持部１０ｃの上面前端部位置が第１発明における鍵の駆動位置に対応し、第１緩衝部材２３が設けられている白鍵１０の支持部１０ｃの上面位置が第１発明における鍵の受け止め位置に対応し、第２緩衝部材２４が設けられているハンマー２０の支持部２０ｅの後端部位置が第１発明におけるハンマーの第１当接位置に対応し、かつ第１緩衝部材２３が対向するハンマー２０の前後延設部２０ａの下面位置が第１発明におけるハンマーの第２当接位置に対応する。
【００７２】
前記のように構成した第５変形例においては、演奏者による演奏開始前には、鍵装置は図９（Ａ）の状態にある。この状態で、演奏者が白鍵１０の前端部上面を図示矢印のように押すと、白鍵１０は上記実施形態の場合と同様な回動軸１１周りの回動により、白鍵１０の支持部１０ｃの上面前端部分がハンマー２０に設けた第２緩衝部材２４を押し上げる。すなわち、白鍵１０が第２緩衝部材２４を介してハンマー２０を押し上げる。これにより、ハンマー２０は回動軸２１周りに回動し始めて、ハンマー２０の前後延設部２０ａが前方に変位するとともに、前後延設部２０ａの後端部が上方へ変位する。なお、この場合も、ハンマー２０の押し上げ時には、第１緩衝部材２３の上面は前後延設部２０ａの下面にほぼ当接しているが、第１緩衝部材２３は第２緩衝部材２４よりも柔らかいので、第１緩衝部材２３による前後延設部２０ａの押し上げはない。
【００７３】
白鍵１０は、押し続けられることにより、その前端部を下方にさらに変位させて、前端部の下面が下ストッパ３２に当接して、白鍵１０の回動も停止し、白鍵１０を押し切った状態となる。一方、ハンマー２０は慣性力により回動し続け、ハンマー２０に設けた第２緩衝部材２４は白鍵１０の支持部１０ｃの上面から離れ、ハンマー２０の前後延設部２０ａは上方へ変位する。そして、ハンマー２０がさらに回動すると、ハンマー２０の前後延設部２０ａ（錘２２）の上面がハンマーストッパ３３に当接（衝突）して、ハンマー２０の回動は停止する。なお、この第５変形例においても、白鍵１０をフルストロークさせないで、白鍵１０を強くかつ速く押鍵した場合には、白鍵１０は下ストッパ３２に当接する前に回動が停止するが、ハンマー２０は慣性で回動し続け、ハンマーストッパ３３に当接した後、その回動は停止する。
【００７４】
そして、ハンマー２０の前後延設部２０ａ（錘２２）のハンマーストッパ３３への衝突により、ハンマー２０は、ハンマーストッパ３３により跳ね返されて、回動軸２１周りに前記と逆方向に回動し始めて、その前後延設部２０ａの後端部を下方へ変位させる。このハンマー２０の回動がさらに進むと、ハンマー２０の前後延設部２０ａの下面が、押し切った状態にある白鍵１０に設けた第１緩衝部材２３の上面に当接（衝突）して、ハンマー２０の回動も停止する。図９（Ｂ）は、この状態にある鍵装置を示している。これは、この状態では、第１緩衝部材２３は離鍵時に比べて上方に変位しているが、前方への変位量は極めて少ない。これ対して、ハンマー２０には上下延設部２０ｂが設けられて、回動中心を白鍵１０の下方に位置させているので、この状態では、ハンマー２０の前後延設部２０ａは前方にある程度大きく変位している。したがって、この場合には、第１緩衝部材２３の上面に、ハンマー２０における支持部２０ｅよりも後方位置の前後延設部２０ａの下面が当接することになる。なお、この状態では、ハンマー２０の前後延設部２０ａの前方への変位により、第２緩衝部材２４は白鍵１０の支持部１０ｃの前方に位置する。
【００７５】
その後、演奏者が白鍵１０の前端部の押圧を解除すなわち離鍵すれば、上記実施形態の場合と同様に、白鍵１０は回動軸１１周りに回動するとともに、ハンマー２０は回動軸２１周りに回動して、鍵装置は前述した図９（Ａ）の離鍵状態に復帰する。
【００７６】
前記第５変形例に係る鍵装置においても、白鍵１０の支持部１０ｃの上面に第１緩衝部材２３を設けて、ハンマーストッパ３３の跳ね返しによるハンマー２０の前後延設部２０ａの下面の白鍵１０への当接時の衝撃を和らげるようにしている。また、第５変形例においても、ハンマー２０の支持部２０ｅの下面に、第１緩衝部材２３よりも固い第２緩衝部材２４を設けて、第２緩衝部材２４を介したハンマー２０の駆動時における衝撃も適度に緩和するようにしている。したがって、第５変形例においても、上記実施形態と同様に、押鍵開始時の鍵タッチ感を良好にできるとともに、鍵の押し切り時の鍵タッチ感を悪化させないようにすることができる。また、第２緩衝部材２４により、押鍵開始時における機械的な雑音を小さくすることもできる。
【００７７】
なお、上記第５変形例においては、押鍵操作時に白鍵１０の支持部１０ｃの上面前端部により駆動されるハンマー２０の支持部２０ｅの後端部に第２緩衝部材２４を設けるようにした。しかし、この第２緩衝部材２４に代え又は加えて、図９（Ａ）及び図９（Ｂ）に破線で示すように、押鍵操作によりハンマー２０の支持部２０ｅの下面後端部を駆動する白鍵１０の支持部１０ｃの前端部に第２緩衝部材２４と同様な固さの緩衝部材２４ａを設けるようにしてもよい。この変形例によっても、白鍵１０によるハンマー２０の駆動時における衝撃を適度に緩和することができるようになるとともに、機械的な雑音を小さくすることもできる。
【００７８】
なお、上記第４変形例及び第５変形例においては、ハンマー２０の回動中心すなわち回動軸２１を白鍵１０の下方に設けるようにした。しかし、これに代えて、上述した第１変形例及び第３変形例のように、ハンマー２０を上下逆して位置させて、ハンマー２０の回動中心である回動軸２１を白鍵１０の上下延設部２０ｂの上端部に対向する位置に設けるようにしてもよい。そして、この場合には、上記第４変形例及び第５変形例における第１緩衝部材２３及び第２緩衝部材２４を前後逆にして位置させる。これによっても、上記第４変形例及び第５変形例と同様な効果が期待される。
【００７９】
また、本発明に係る鍵装置は、上記実施形態に限定されるものではなく、適宜変更して実施することが可能である。
【００８０】
上記実施形態及び各種変形例においては、白鍵１０の押鍵開始時における白鍵１０によるハンマー２０の駆動すなわちハンマー２０の押し上げにおいては、衝撃を多少緩和するゴム、人工皮革などの第２緩衝部材２４を介して白鍵１０でハンマー２０を押し上げるようにした。しかし、樹脂成形された白鍵１０とハンマー２０との樹脂同士の衝突による衝撃が問題なければ、上記実施形態及び各種変形例において、第２緩衝部材２４をなくすようにしてもよい。
【００８１】
また、上記実施形態及び各種変形例では、白鍵１０の押鍵時に、白鍵１０をハンマー２０に直接的に当接させて、ハンマー２０を直接的に駆動するようにした。しかし、これに代えて、白鍵１０の押鍵時に、白鍵１０の回動に連動して回動する他の部材を介して押鍵操作による白鍵１０の回動をハンマー２０に伝達して、白鍵１０の回動に対してハンマー２０を間接的に駆動するようにしてもよい。この場合、例えば、先行技術で特許文献２として採用した特開平１０−４９１６６号公報に示されているように、鍵の押鍵操作に対してレットオフ感を付与するためのウィペンを、前記他の部材として採用することができる。
【００８２】
さらに、上記実施形態及び各種変形例では、電子鍵盤楽器の鍵盤装置に本発明を適用した。しかし、本発明は、鍵盤装置を有する自然楽器にも適用できる。この場合、上述したハンマーストッパ３３は、楽器音信号を振動により発生させる弦、振動板などの発音体に置き換えられる。この変形例においては、ハンマー２０が押鍵操作により回動したとき、ハンマー２０は発音体に衝突し、発音体を振動させて楽音を発生させる。これと同時に、発音体はハンマー２０の衝突によりハンマー２０を跳ね返す。したがって、上記ハンマーストッパ３３を弦、振動板などの発音体に置き換えた場合でも、上記実施形態及び各種変形例と同様な効果を期待できる。また、ハンマー２０は発音体に衝突した後に発音体から離れるので、ハンマー２０が発音体を押さえ続けて振動が急速に減衰することなく、振動が長く持続するという効果もある。
【符号の説明】
【００８３】
１０…白鍵、１０ａ…円形孔、１０ｂ…突起、１０ｃ…支持部、１１…回動軸、１２…錘、２０…ハンマー、２０ａ…前後延設部、２０ｂ…上下延設部、２０ｃ…円形孔、２０ｄ…突起、２０ｅ…支持部、２１…回動軸、２２…錘、２３…第１緩衝部材、２４…第２緩衝部材、２４ａ…緩衝部材、３１…上ストッパ、３２…下ストッパ、３３…ハンマーストッパ
【図１】
2017072772.tif 000003
【図２】
2017072772.tif 000004
【図３】
2017072772.tif 000005
【図４】
2017072772.tif 000006
【図５】
2017072772.tif 000007
【図６】
2017072772.tif 000008
【図７】
2017072772.tif 000009
【図８】
2017072772.tif 000010
【図９】
2017072772.tif 000011